(57)【要約】      （修正有）【課題】複合釣り糸の直径を縮小するとともに、強度、耐摩耗性、防水性、及び断面の真円度を高めることができる複合釣り糸を提供する。【解決手段】第１繊維２と第２繊維３とから構成される。第１繊維１は、高分子量ポリエチレン繊維からなる、４〜７本の繊維糸を束ねるように形成され、第２繊維２は、高分子量延伸ポリテトラフルオロエチレン繊維、高分子量ポリテトラフルオロエチレン繊維、又はポリアミド繊維の何れか一つからなる、１〜４本の繊維糸を束ねるように形成される。第１繊維２と第２繊維３とを組み合わせてなる、８本の繊維糸を束ねるように構成する。【選択図】図１
0003171350.tif 000002
【実用新案登録請求の範囲】
【請求項１】
第１繊維と第２繊維とから構成される、複合釣り糸であって、
前記第１繊維は、高分子量ポリエチレン繊維からなる、４〜７本の繊維糸を束ねるように形成され、
前記第２繊維は、高分子量延伸ポリテトラフルオロエチレン繊維、高分子量ポリテトラフルオロエチレン繊維、又はポリアミド繊維の何れか一つからなる、１〜４本の繊維糸を束ねるように形成され、
前記第１繊維と前記第２繊維とを組み合わせてなる、８本の繊維糸を束ねるように構成したことを特徴とする複合釣り糸。
【請求項２】
請求項１に記載の複合釣り糸において、
前記複合釣り糸は、前記第１繊維と前記第２繊維とを交差して編み込まれ、こうして編み込まれた結節点が１インチ当たり３２個であることを特徴する、複合釣り糸。
【請求項３】
請求項１又は２に記載の複合釣り糸において、
前記第２繊維が、ポリアミド繊維からなり、前記ポリアミド繊維がケブラー（登録商標）繊維、又はテクノーラ（登録商標）繊維からなることを特徴とする、複合釣り糸。
【考案の詳細な説明】
【技術分野】
【０００１】
本考案は釣り糸に係り、特に高分子量ポリエチレン繊維と、高分子量延伸ポリテトラフルオロエチレン繊維、高分子量ポリテトラフルオロエチレン繊維、又はポリアミド繊維の何れか一つとからなり、高性能化を実現することができる複合釣り糸に関する。
【背景技術】
【０００２】
ここ数年来、魚釣り法の高度化に伴って、釣り人が釣り糸に対してさらなる高性能を求めるようになっていて、例えば、高防水性、高靭性、高耐磨耗性、高強度、高耐衝撃性、軽量化、高弾性率、及び低伸度などの高性能化が求められている。
【０００３】
一般に、通常の釣り糸は長時間水に浸し、又は釣りのリールとガイド・リングで頻繁にこすられるので、防水性や耐水性を備えている。仮に釣り糸が水に抵抗する特性を有しなければ、長時間水に浸された後に、多量の水を吸収することで、その重さを増加させるので、釣り糸の性能に影響を及ぼすようになる。また、釣り糸は、長時間の使用に亘って釣りのリールとガイド・リングによる擦り又は破断を防ぐために、高靱性と高耐摩耗性を持たなければならない。また、釣り糸は、強いけん引力による釣り糸の破断を防ぐために、高強度と高耐衝撃性を持たなければならない。
また、釣り糸には、持ち運びに便利であるために、軽量化する必要がある。 また、釣り糸が釣りのリールに容易に絡むことを防いだり、タイミング良く釣り竿をひいたりするために、釣り糸は、高弾性率と低伸度を持たなければならない。
さらに、釣り糸は、釣り竿からより遠くに投げるために、断面の真円度がより高く、表面がより平滑になる必要がある。
【０００４】
従来の釣り糸（５）は、図９に示すように、超高分子量ポリエチレン繊維で製造されており、この種類の繊維の代表例としては、ダイニーマ（ＤＹＮＥＥＭＡ（登録商標））ファイバーが挙げられる。このファイバーは、超高分子量ポリエチレンの重合体の溶液を回転して紡ぐことから、ゲルの繊維を形成し、溶剤を取り除き、さらに引伸ばすか、又は延伸することにより形成される。後で、これらのファイバーはデニール数が異なる紡ぎ糸を形成するように集束され、異なる用途に供する。このダイニーマ（ＤＹＮＥＥＭＡ（登録商標））ファイバーは、釣り糸に使用でき、高強度、高弾性率、高靭性、及び低伸度などの利点を有する。
【考案の概要】
【考案が解決しようとする課題】
【０００５】
しかし、上記の公知技術では、複数のダイニーマ（登録商標）ファイバーを予め引伸ばすか、又は延伸することにより、複数本の糸単体（又は線材）を形成した後に、集束した構成としている。このため、糸単体からなる釣り糸は、強度に限界があり、断面の真円度が決して良くない。そして、釣り竿から投げる距離が出ない。
【０００６】
そこで、本考案の目的は、強度、耐摩耗性、及び防水性を高めることができる複合釣り糸を提供することにある。
【０００７】
また、本考案の次の目的は、直径がより小さい線材を形成することにより、重量、摩擦抵抗力が軽減される複合釣り糸を提供することにある。
【０００８】
また、本考案の次の目的は、織り密度、強度を高めることができる複合釣り糸を提供することにある。
【０００９】
さらに、本考案のさらなる目的は、真円度がより高く、ラインがよりなめらかになり、釣り竿から投げる距離がよく出る複合釣り糸を提供することにある。
【課題を解決するための手段】
【００１０】
前記目的を達成するために、本考案の請求項１は、第１繊維と第２繊維とから構成される、複合釣り糸であって、前記第１繊維は、高分子量ポリエチレン繊維からなる、４〜７本の繊維糸を束ねるように形成され、前記第２繊維は、高分子量延伸ポリテトラフルオロエチレン繊維、高分子量ポリテトラフルオロエチレン繊維、又はポリアミド繊維の何れか一つからなる、１〜４本の繊維糸を束ねるように形成され、前記第１繊維と前記第２繊維とを組み合わせてなる、８本の繊維糸を束ねるように構成したことを特徴とする。
【００１１】
また、本考案の請求項２は、請求項１に記載の複合釣り糸において、前記複合釣り糸は、編み込まれた結節点が１インチ当たり３２個であることを特徴する。
【００１２】
さらに、本考案の請求項３は請求項１又は２に記載の複合釣り糸において、前記第２繊維が、ポリアミド繊維からなり、前記ポリアミド繊維がケブラー（登録商標）繊維、又はテクノーラ（登録商標）繊維からなることを特徴とする。
【考案の効果】
【００１３】
本考案の複合釣り糸（１）は、高分子量ポリエチレン繊維からなる第１繊維（２）と、高分子量延伸ポリテトラフルオロエチレン繊維、高分子量ポリテトラフルオロエチレン繊維、又はポリアミド繊維の何れか一つからなる第２繊維（３）を含み、該第１繊維（２）と該第２繊維（３）を交差して織って構成されることにより、両者の特性を重ね合わせた糸が得られ、且つかかる糸の直径を縮小するとともに、強度、耐摩耗性、防水性、及び断面の真円度を高めることができるので、実用性、新規性、及び進歩性を具備する。
【図面の簡単な説明】
【００１４】
【図１】本考案に係る複合釣り糸の実施例１の斜視図である。
【図２】本考案に係る複合釣り糸の実施例１の局部拡大斜視図である。
【図３】本考案に係る複合釣り糸の実施例１の断面図（その１）である。
【図４】本考案に係る複合釣り糸の実施例１の断面図（その２）である。
【図５】本考案に係る複合釣り糸の実施例１の断面図（その３）である。
【図６】本考案に係る複合釣り糸の実施例２の断面図である。
【図７】本考案に係る複合釣り糸の実施例３の断面図である。
【図８】本考案に係る複合釣り糸の実施例４の断面図である。
【図９】公知の釣り糸の断面図である。
【考案を実施するための形態】
【００１５】
以下、本考案の実施の形態を図面に基づいて説明する。
【００１６】
本考案に係る複合釣り糸（１）は、図１乃至図５に示すように、複数の第１繊維（２）と、第２繊維（３）とから構成される。
【００１７】
第１繊維（２）は、高分子量ポリエチレン繊維からなる。このような高分子量ポリエチレン繊維としては、例えば、異なるデニール数を有し、分子量が４００，０００以上であるダイニーマ（ＤＹＮＥＥＭＡ（登録商標））ファイバーを使用することができる。この第１繊維（２）は、高分子量ポリエチレンのポリマー溶液を回転して紡ぐことにより、ゲルのファイバーを形成し、溶剤を取り除き、繊維束を引伸ばすか、又は延伸することにより、最終繊維として形成される。該第１繊維（２）は、軽量、高強度、高弾性率、高靭性、低伸度などの力学的利点を有する。
【００１８】
第２繊維（３）は、高分子量延伸ポリテトラフルオロエチレン繊維（ｅＰＴＦＥ）からなる超細繊維である。このような超細繊維としては、例えば、ゴア（登録商標）ファイバーを使用することができる。該第２繊維（３）は、高強度、高防水性、及び高耐摩耗性を有することが好ましい。しかも該第２繊維（３）は、第１繊維（２）より硬さがやや大きい。これにより、該第１繊維（２）は、柔軟性を提供し、該第２繊維（３）は、適当な硬さと靭性を提供することができる。
【実施例１】
【００１９】
図３乃至図５を参照されたい。本考案の実施例１では、７本の第１繊維（２）と１本の第２繊維（３）を交差して織ることにより、複合釣り糸（１）を形成する。こうして形成された複合釣糸（１）は、断面が略円形を呈し、織り密度が比較的高く、しかも直径が小さい糸を織り出すことができる。さらに、前記複合釣り糸（１）は、編み込まれた結節点（４）が少なくとも１インチ当たり３２個である。これにより、該第１繊維（２）と該第２繊維（３）の特性を重ね合わせることができ、該複合釣り糸（１）の強度、耐摩耗性、及び防水性などの性能を高めることができる。さらに断面の真円度がより高く、表面やラインがよりなめらかになるので、複合釣り糸（１）を釣り竿からより遠くへ投げることができる。
【００２０】
上述構成により、複合釣り糸（１）は７本の第１繊維（２）と１本の第２繊維（３）を交差して織って形成されることにより、両繊維の特性を重ね合わせることができる。その結果、強度、耐摩耗性、防水性、断面の真円度等を高めるとともに、直径がより小さい糸や線材を織ることができ、複合釣り糸（１）の高性能化を実現することができる。したがって、全体構造は新規性、進歩性、及び実用性を具備する。
【００２１】
本考案の特徴、技術手段及び作用効果をより一層理解されるために、以下、本考案の作用方式について説明する。
該複合釣り糸（１）は、７本の第１繊維（２）と１本の第２繊維（３）を交差して織って形成され、こうして編み込まれた結節点（４）が１インチ当たり３２個である。
【００２２】
本考案の複合釣り糸（１）は７本の第１繊維（２）と１本の第２繊維（３）を交差して織って形成され、両者の特性を重ね合わせることができる。該第１繊維（２）は、高強度、高靭性、及び高耐摩耗性などの利点を有する他、該第２繊維（３）は、ゴア（登録商標）ファイバーで、高い硬さ、及び高防水性を有するため、強度、耐摩耗性、及び防水性などの性能を高めることができる。さらに、該第１繊維（２）と該第２繊維（３）は、いずれも超細繊維からなり、織って成形できるので、直径が小さい糸を織ることができ、軽量化できる。また、織り面の凹凸嵌合によって、１インチ当たり３２個の結節点（４）を編み込むことができるので、高い織り密度を有し、強度を高め、且つ直径を縮小することで、摩擦時の抵抗力を軽減し、耐摩耗性を高めることができる。
【００２３】
該複合釣り糸（１）は、該第１繊維（２）と該第２繊維（３）を交差して織って成形されることにより、断面が高真円度を有し、ラインがなめらかで、釣り竿から投げる距離を伸ばすことができる。
【実施例２】
【００２４】
図６は、本考案の実施例２を示すものであり、実施例２では、６本の第１繊維（２）と２本の第２繊維（３）を交差して織ることにより、複合釣り糸（１）を形成する。
【実施例３】
【００２５】
図７は、本考案の実施例３を示すものであり、実施例３では、５本の第１繊維（２）と３本の第２繊維（３）を交差して織ることにより、複合釣り糸（１）を形成する。
【実施例４】
【００２６】
図８は、本考案の実施例４を示すものであり、実施例４では、４本の第１繊維（２）と４本の第２繊維（３）を交差して織ることにより、複合釣り糸（１）を形成する。
【００２７】
上述の実施例１乃至実施例４では、該第２繊維（３）は他の材質の繊維、例えば、高分子量ポリテトラフルオロエチレン繊維（ＰＴＦＥ）、又はポリアミド繊維を使用することができる。ポリアミド繊維としては、ケブラー（登録商標）繊維、又はテクノーラ（登録商標）繊維が好ましい。
【符号の説明】
【００２８】
＜本考案＞
１・・・複合釣り糸
２・・・第１繊維
３・・・第２繊維
４・・・結節点
＜従来技術＞
５・・・釣り糸
【図１】
0003171350.tif 000003
【図２】
0003171350.tif 000004
【図３】
0003171350.tif 000005
【図４】
0003171350.tif 000006
【図５】
0003171350.tif 000007
【図６】
0003171350.tif 000008
【図７】
0003171350.tif 000009
【図８】
0003171350.tif 000010
【図９】
0003171350.tif 000011